(57)【要約】【課題】  斜度の緩いのり面においても十分な集水をすることができ、また、施工性を低下させることなく苗木の生育不良を効果的に防止できるのり面植栽用袋を提供する。【解決手段】本発明に係るのり面植栽用袋は、台形の表シート(1)の両側辺部(3)及び長辺部(5)を該表シートより大きい裏シート(2)の周縁部(2a)が覆った状態で、該表シートと該裏シートが一体化された台形をなす。該表シートは、不透水性で、苗木(12)を挿入するための植穴開口部(7)を有する。更に、該表シートの表面の該植穴開口部を避けた位置には、該長辺部と平行で、該長辺部側に開口(p)を有し、かつ内部が該表裏のシート間の空間(s)に連通する一つ以上の袋体(8)が形成されている。該裏シートは不透水性で、かつ設置の時から時間が経過すると開放する透根部(6)を備えている。【選択図】  図１
2006104861.tif 000002
【特許請求の範囲】
【請求項１】
台形の表シート(1)の両側辺部(3)及び長辺部(5)を該表シート(1)より大きい裏シート(2)の周縁部(2a)が覆った状態で、該表シート(1)と該裏シート(2)が一体化された台形をなし、
該表シート(1)は、不透水性で、苗木(12)を挿入するための植穴開口部(7)を有し、かつその表面の該植穴開口部(7)を避けた位置に、該長辺部(5)と平行で、該長辺部(5)側に開口(p)を有し、かつ内部が該表裏のシート(1,2)間の空間(s)に連通する一つ以上の袋体(8)が形成され、
該裏シート(2)は不透水性で、かつ設置の時から時間が経過すると開放する透根部(6)を備えている
ことを特徴とするのり面植栽用袋。
【請求項２】
該裏シート(2)は各別の裏片(21,22)及び中間の帯片(26)を繋ぎ部(27)で一体化し、該帯片(26)を生分解性材で構成したものである請求項１に記載ののり面植栽用袋。
【請求項３】
該裏シート(2)は各別の裏片(21,22)及び中間の帯片(26)から構成され、該裏片(21,22)と該帯片(26)は繋ぎ部(27)以外は開放部(28)となり、該開放部(28)が該透根部(6)として生分解性糸(25)で閉じられている請求項１に記載ののり面植栽用袋。
【請求項４】
該裏シート(2)は各別の裏片(21,22)からなり、両裏片(21,22)は重合部(23)を有し、該重合部(23)の繋ぎ部(27)を除いた非一体化部(24)が透根部(6)として生分解性糸(25)で閉じられている請求項１に記載ののり面植栽用袋。
【請求項５】
該裏シート(2)はスリット(20)を有し、該スリット(20)が透根部(6)として生分解性糸(25)で閉じられている請求項１に記載ののり面植栽用袋。
【請求項６】
該表シート(1)は主部(1a)と付加部(1b)で構成され、該主部(1a)は台形で該植穴開口部(7)を有し、該付加部(1b)はその縁が該主部(1a)の長辺縁(5a)又は短辺縁(4a)と重合して該主部(1a)に続く台形をなし、該袋体(8)はその重合部分で形成されている請求項１〜５のいずれか一つの項に記載ののり面植栽用袋。
【請求項７】
該付加部(1a)は、該空間(s)に培土(11)を充填した状態で遊端が該裏シート(2)に固定されて該空間(s)を閉塞し、該表シート(1)の短辺部(4)となる蓋部(17)を備えている請求項６に記載ののり面植栽用袋。
【請求項８】
該袋体(8)の内部を該空間(s)に連通させるのは該開口(p)と反対側で該表シート(1)に設けた通水孔(9)である請求項１〜７のいずれか一つの項に記載ののり面植栽用袋。
【請求項９】
該袋体(8)の内部を該空間(s)に連通させるのは該開口(p)と反対側で該表シート(1)に設けた縫合部(9')である請求項１〜８のいずれか一つの項に記載ののり面植栽用袋。
【請求項１０】
該表裏のシート(1,2)の間に断熱材(13)が介装されている請求項１〜９のいずれか一つの項に記載ののり面植栽用袋。
【請求項１１】
該表裏シート(1,2)の間に耐湿性を有する保護材(14)が介装されている請求項１〜１０のいずれか一つの項に記載ののり面植栽用袋。
【請求項１２】
該植穴開口部(7)の両縁部に耳片(15)を備えている請求項１〜１１のいずれか一つの項に記載ののり面植栽用袋。
【請求項１３】
該耳片(15)の一方(15a)が他方(15b)より長くなっている請求項１２に記載ののり面植栽用袋。
【発明の詳細な説明】
【技術分野】
【０００１】
本発明は、道路に面した切土のり面等の土の斜面に植栽するために使用する、のり面用植栽袋に関する。
【背景技術】
【０００２】
客土が困難な切土のり面等において、培土が充填された植栽用袋を利用する植栽方法が知られている。植栽用袋としては、例えば、土のう袋や不織布の袋を使用することも可能であるが、これらの袋を使用した場合、袋面からの乾燥が激しく苗の枯死を招きやすいという問題があった。そこで、そのような問題を解決する手段として、例えば、特開平１１−８９４４９号公報に開示された植栽及び苗木生産用袋が考案されている。
【０００３】
上記苗木生産用袋は、各別の不透水性シート部の一方の周辺部が、他方の周辺部を覆った状態で一体とされ、それら両周辺部間に通水間隔が用意されている。そして、培土が充填され、袋の表面の不透水性シート部の一部を切り開くか、又は予め形成したスリットを通すかしてその培土に苗木が埋め込まれ、袋の中央部分が盛り上がった状態で、植栽面に載置して使用するものである。この際、周囲の通水間隔のある部分は下位に位置することになる。そのため、充填された培土に含まれる水分の外部への蒸発は防止される一方で、散水時や降雨時の水滴は上面の不透水性シート部面に当たってその傾斜に沿って流れ、周囲の通水間隔を通って内部の培土へ浸透し、長期にわたる保水が可能とされている。
【０００４】
また、上記公報には、上記苗木生産用袋の別の型式として、不透水性シート部と透根性シート部が両者の周辺部で一体とされ、不透水性シート部の周辺部が外側へ延展した被覆部を備えたものが開示されている。この型式の袋によれば、被覆部を袋の設置面の周囲を覆うように展設することで袋周囲の雑草の繁茂を抑制し、背丈の低い苗木が雑草に被圧され生育不良になることを防止できる。
【０００５】
【特許文献１】特開平１１−８９４４９号公報
【発明の開示】
【発明が解決しようとする課題】
【０００６】
しかしながら、上記苗木生産用袋において培土に十分な水分を保つためには、上面の不透水性シート部面に当たった水滴を回収するだけでは足りず、のり面表面に沿って流れる水のうち袋表面を通ったものも回収する必要があった。そのため、上記苗木生産用袋の使用されるのり面の斜度が緩やかな場合、雨水等がのり面表面に沿って流れにくくなり袋表面を流れる水の量が減少し、袋の乾燥を防ぐために十分な水を回収できなくなるという問題があった。
【０００７】
また、被覆部を備える型式の袋は、被覆部の固定が必要となり、施工性に問題があった。なお、苗木の背丈が低い場合には、袋の面積を大きくして苗木周囲における雑草の繁茂しない面積を広げるという方法も考えられるが、この方法では、袋が大きく、そして重くなってしまい、やはり施工性が悪くなるという問題があった。
【０００８】
そこで、本発明は、斜度の緩いのり面においても十分な集水をすることができ、また、施工性を低下させることなく苗木の生育不良を効果的に防止できるのり面植栽用袋を提供することにある。
【課題を解決するための手段】
【０００９】
本発明にかかるのり面植栽用袋は、台形の表シートの両側辺部及び長辺部を該表シートより大きい裏シートの周縁部が覆った状態で、該表シートと該裏シートが一体化された台形となっている。該表シートは、不透水性で、苗木を挿入するための植穴開口部を有し、かつその表面の該植穴開口部を避けた位置に、該長辺部と平行で、該長辺部側に開口を有し、かつ内部が該表裏のシート間の空間に連通する一つ以上の袋体が形成されている。該裏シートは不透水性で、かつ設置の時から時間が経過すると開放する透根部を備えている。
【００１０】
該裏シートは各別の裏片及び中間の帯片を繋ぎ部で一体化し、該帯片を生分解性材で構成したものであってもよい。
【００１１】
該裏シートは各別の裏片及び中間の帯片から構成され、該裏片と該帯片は繋ぎ部以外は開放部となり、該開放部が該透根部として生分解性糸で閉じられていてもよい。
【００１２】
該裏シートは各別の裏片からなり、両裏片は重合部を有し、該重合部の繋ぎ部を除いた非一体化部が透根部として生分解性糸で閉じられていてもよい。
【００１３】
該裏シートはスリットを有し、該スリットが透根部として生分解性糸で閉じられていてもよい。
【００１４】
該表シートは主部と付加部で構成され、該主部は台形で該植穴開口部を有し、該付加部はその縁が該主部の長辺縁又は短辺縁と重合して該主部に続く台形をなし、該袋体はこの重合部分で形成されたものであってもよい。
【００１５】
該付加部は、該空間に培土を充填した状態で遊端が該裏シートに固定されて該空間を閉塞し、該表シートの短辺部となる蓋部を備えていてもよい。
【００１６】
該袋体の内部を該空間に連通させるのは該開口と反対側で該表シートに設けた通水孔であってもよい。
【００１７】
該袋体の内部を該空間に連通させるのは該開口と反対側で該表シートに設けた縫合部であってもよい。
【００１８】
該表裏のシートの間に断熱材が介装されていてもよい。
【００１９】
該表裏シートの間に耐水性を有する保護材が介装されていてもよい。
【００２０】
該植穴開口部の両縁部に耳片を備えていてもよい。
【００２１】
該耳片の一方が他方より長くなっていてもよい。
【発明の効果】
【００２２】
本発明にかかるのり面植栽用袋は、培土を充填し、植穴開口部を通してその培土に苗木を埋め込み、袋の中央部分が盛り上がった状態で、長辺部が上側に配置されるよう、のり面に載置して使用する。この使用状態においては、上側に配置された長辺部が、のり面表面に沿って流れる水を袋表面に導くための間口となる。一方、袋表面には、この長辺部から下側に配置された短辺部に向かって除々に狭くなり、裏シートの周縁部で挟まれた水路が形成される。そして、広い間口から導入された水は、袋表面の水路に沿って集められ袋体で効率良く回収されることになる。そのため、斜度の緩いのり面においても十分な集水をすることが可能となる。
【００２３】
また、長辺部を上側に配置することで、特に苗木周囲の上側の雑草の繁茂を重点的に抑制できる。背高く繁茂した雑草はのり面下側に向かって頭を垂らすことから、苗木に覆い被さる雑草の多くは苗木周囲の上側に繁茂したものである。そのため、苗木周囲の上側の雑草の繁茂を重点的に抑制すれば、苗木の生育不良を効果的に防止できる。この際、袋の形状を台形にすることで、袋全体を大きくすることなく苗木周囲の上側の地面のみを広く覆うことが可能となる。そのため、施工性を低下させることなく苗木の生育不良を効果的に防止できる。
【００２４】
更に、こののり面植栽用袋は、全体が不透水性のシートで構成されていることにより保水性を有するとともに、裏シートに、設置の時から時間が経過すると開放する透根部を備えることにより、苗木が成長するにつれ、苗木がのり面に根を延ばすことを可能とする隙間を有するものになる。そのため、苗木の成長に応じた、適正な生育環境を保つことができる。
【００２５】
裏シートが、各別の裏片及び中間の帯片を繋ぎ部で一体化し帯片を生分解性材で構成したものであると、時間の経過とともに帯片が腐食して開放部分を形成する。そこで、この帯片が透根部となるようにすれば、設置の時から時間が経過すると開放する透根部を極めて容易に形成することができる。また、帯片が生分解性材で構成されないものであっても、裏片と帯片の繋ぎ部以外を開放部としその開放部を生分解性糸で閉じると、時間の経過とともに生分解性糸が腐食し当所塞がれていた開放部が開放する。そこで、この開放部を透根部とすなるようにすれば、設置の時から時間が経過すると開放する透根部を極めて容易に形成することができる。
【００２６】
また、裏シートが、各別の裏片のみからなり、両裏片が重合部を有する場合は、重合部の繋ぎ部を除いた非一体化部を生分解性糸で閉じると、時間の経過とともに生分解性糸が腐食し当所塞がれていた非一体化部が開放する。更に、裏シートが一枚ものであってもスリットを有する場合は、スリットを生分解性糸で閉じると、時間の経過とともに生分解性糸が腐食し当所塞がれていたスリットが開放する。そこで、これら非一体化部或いはスリットが透根部となるようにすれば、設置の時から時間が経過すると開放する透根部を極めて容易に形成することができる。
【００２７】
表シートを主部と付加部で構成し、付加部の縁と主部の長辺縁又は短辺縁との重合部分で袋体を形成すると、帯材を表シートに固定して袋体を形成する場合に比べて、袋体を容易に形成することができる。
【００２８】
また、付加部が、空間に培土を充填した状態で遊端が裏シートに固定されて空間を閉塞し、表シートの短辺部となる蓋部を備えたものであれば、培土が充填された状態にある袋を容易に閉じることができ、製造工程の短縮やコスト低減を図ることができる。
【００２９】
袋体の内部を、その開口と反対側において表シートに設けた通水孔でシート間の空間に連通させると、比較的大量の水を効率良く袋体の内部に導くことができ、特に集水量を増やす必要がある場合に有効となる。
【００３０】
一方、袋体の内部を、その開口と反対側において表シートに設けた縫合部でシート間の空間に連通させると、袋体の構成材を表シートに縫合して袋体を形成する際、袋体の形成と内部空間への連通部分の形成を同時に行うことができ、製造工程の短縮やコストの低減を図ることができる。
【００３１】
表裏のシートの間に断熱材が介装すると、外部からの熱を遮断し、夏期における袋内部の温度上昇を抑制できる。
【００３２】
表裏シートの間に耐水性を有する保護材が介装すると、保護材と裏シートとの間に培土を充填することにより、運搬作業時において、袋内部に充填した培土が苗木を挿入するための植穴開口部からこぼれることを防止できる。なお、断熱材と保護材が共に介装される場合は、培土を充填する作業性等を考慮し、保護材は、断熱材と裏シートの間に介装することが好ましい。また、保護材としては、カッターナイフなどを用いることなく人の手のみで容易に破ることができるラミネートクラフト紙や薄いフィルムが好ましい。
【００３３】
植穴開口部の両縁部に耳片を備えると、苗木を挿入した後、苗木を挟み込むように耳片どうしをホッチキス等により接着することで、植穴開口部に雑草が繁茂することを防止できる。
【００３４】
また、耳片の一方が他方より長くなっていると、苗木挿入後、苗木を挟み込むように耳片どうしを接着する際に、長い側の耳片で他方の耳片の縁部を被い三枚重ねにして接着することで耳片の隙間に雑草の種が入り込むことを防止し、植穴開口部に雑草が繁茂することをより効果的に防止できる。
【発明を実施するための最良の形態】
【００３５】
図１〜６に、本発明にかかるのり面植栽用袋の具体例を示す。図１は同のり面植栽用袋を培土が充填されない状態で示し、（ａ）は正面図、（ｂ）は背面図である。図２は同のり面植栽用袋の使用状態を示す斜面図である。図３及び４は、図１のＡ−Ａ矢視線及びＢ−Ｂ矢視線に沿った断面図である。また、図５及び図６は苗木が培土に埋め込まれたときの植穴開口部の状態を示し、図２のＣ−Ｃ矢視線及びＤ−Ｄ矢視線に沿った断面図である。
【００３６】
のり面植栽用袋１０は、台形の表シート１の両側辺部３及び長辺部５を、表シート１より大きい裏シート２の周縁部２ａが覆った状態で、表シート１と裏シート２が、その重なり合った部分で縫合され一体化された台形となっている。なお、図１及び図２において、縫合部は、間隔の広い破線で示されている。
表シート１は、不透水性で、苗木１２を挿入するための植穴開口部７を有している。また、表シート１の表面の、植穴開口部７を避けた位置に、長辺部５と平行で、長辺部５側に開口ｐを有し、かつ内部が表裏のシート１、２間の空間ｓに連通する一つ以上の袋体８が形成されている。
裏シート２は不透水性で、かつ設置の時から時間が経過すると開放する透根部６を備えている。
そして、こののり面植栽用袋１０は、培土１１を充填し、植穴開口部７を通してその培土１１に苗木１２を埋め込み、袋の中央部分が盛り上がった状態で、長辺部５が上側に配置されるよう、のり面に載置して使用する。
【００３７】
こののり面植栽用袋１０によれば、その使用状態において、上側に配置された長辺部５が、のり面表面に沿って流れる水を袋表面に導くための間口となる。一方、袋表面には、この長辺部５から下側に配置された短辺部４に向かって除々に狭くなり、裏シート２の周縁部２ａで挟まれた水路が形成される。そして、広い間口から導入された水は、袋表面の水路に沿って集められ袋体８で効率良く回収されることになる。そのため、斜度の緩いのり面においても十分な集水が可能となる。
【００３８】
また、長辺部５を上側に配置することで、特に苗木１２周囲の上側の雑草の繁茂を重点的に抑制できる。そのため、苗木１２の生育不良を効果的に防止できる。この際、袋の形状を台形にすることで、袋全体を大きくすることなく苗木１２周囲の上側の地面のみを広く覆うことが可能となる。そのため、施工性を低下させることなく苗木１２の生育不良を効果的に防止できる。
【００３９】
更に、こののり面植栽用袋１０は、全体が不透水性のシートで構成されていることにより保水性を有するとともに、裏シート２に設置の時から時間が経過すると開放する透根部６を備えることにより、苗木１２が成長するにつれ、苗木１２がのり面に根を延ばすことを可能とする隙間を有するものになる。そのため、苗木１２の成長に応じた、適正な生育環境を保つことができる。
【００４０】
裏シート２は各別の裏片２１、２２及び中間の帯片２６を繋ぎ部２７で一体化し、帯片２６を生分解性材で構成したものとなっている。
この場合、時間の経過とともに帯片２６が腐食して開放部分を形成する。そこで、この帯片２６が透根部６となるようにすれば、設置の時から時間が経過すると開放する透根部６を極めて容易に形成することができる。
【００４１】
なお、透根部６は、その他の態様であってもよい。図８〜１０に、裏シートの他の態様の具体例を示す。例えば、上記裏シート２と同様に各別の裏片２１、２２及び中間の帯片２６から構成されるものでも、図７に示すように、帯片２６を生分解性材で構成する代わりに、裏片２１、２２と帯片２６の繋ぎ部２７以外は開放部２８とし、開放部２８を透根部６として生分解性糸２５で閉じてもよい。また、図８に示すように、裏シート２が帯片２６を備えず各別の裏片２１、２２のみからなり、両裏片２１、２２が重合部２３を有する場合は、重合部２３の繋ぎ部２７を除いた非一体化部２４を透根部６として生分解性糸２５で閉じてもよい。更に、図９に示すように、裏シート２が一枚ものであってもスリット２０を有する場合は、スリット２０を透根部６として生分解性糸２５で閉じてもよい。
これらの場合、時間の経過とともに生分解性糸２５が腐食し当所塞がれていた裏片と帯片の開放部２８、重合部の非一体化部２４或いはスリット２０が開放する。そこで、開放部２８、非一体化部２４或いはスリット２０が透根部６となるようにすれば、設置の時から時間が経過すると開放する透根部６を極めて容易に形成することができる。
【００４２】
表シート１は主部１ａと付加部１ｂで構成されている。主部１ａは台形で植穴開口部７を有し、付加部１ｂはその縁が主部１ａの長辺縁５ａ又は短辺縁４ａと重合して主部１ａに続く台形をしている。そして、袋体８はこの重合部分で形成されている。
この場合、帯材を表シート１に固定して袋体８を形成する場合に比べて、袋体８を容易に形成することができる。なお、こののり面植栽用袋１０の表シート１は、主部１ａの長辺縁５ａ側と短辺縁４ａ側の両側に付加部１ｂ、１ｂを有しているが、使用状況に応じてどちらか一方のみとしてもよい。
【００４３】
両付加部１ｂ、１ｂのうち、短辺縁４ａに重合する方は、空間ｓに培土１１を充填した状態で遊端が裏シート２に固定されて空間２を閉塞し、表シート１の短辺部４となる蓋部１７を備えている。
この場合、培土１１が充填された状態にある袋を容易に閉じることができ、製造工程の短縮やコスト低減を図ることができる。
【００４４】
主部１ａと付加部１ｂは、その重合部分で形成される袋体８の開口ｐと反対側の位置で縫着されている。そして、その縫合部９’が、袋体８の内部を空間ｓに連通させるようになっている。
この場合、袋体８を形成する際、袋体８の形成と空間ｓへの連通部分の形成を同時に行うことができるので、製造工程の短縮やコストの低減を図ることができる。
【００４５】
また、袋体８の内部は、開口ｐと反対側で表シート１に設けた通水孔９によっても、空間ｓに連通するようになっている。
この場合、比較的大量の水を効率良く袋体の内部に導くことができるので、特に集水量を増やす必要がある場合に有効となる。
【００４６】
表裏のシート１、２の間には、断熱材１３が介装されている。
この場合、外部からの熱を遮断し、夏期における袋内部の温度上昇を抑制できる。ただし、断熱材の厚さは、袋内部にこもる熱量が放散される熱量よりも大きくなることを避けるため、適正な値に調整することが好ましい。なお、適正な厚さは、例えば材質がＰＰの場合、培土２０リットルに対し５ｍｍ程度である。
【００４７】
表裏シート１、２の間には、また、耐水性を有する保護材１４としてラミネートクラフト紙が介装されている。
この場合、保護材１４と裏シート２との間に培土１１を充填することにより、運搬作業時において、袋内部に充填した培土１１が苗木１２を挿入するための植穴開口部７からこぼれることを防止できる。なお、こののり面植栽用袋１０には、断熱材１３と保護材１４の両方が介装されているが、培土１１を充填する作業性等を考慮し、保護材１４は、断熱材１３と裏シート２の間に介装されている。また、保護材としてラミネートクラフト紙を採用することにより、カッターナイフなどを用いることなく人の手のみで容易に破ることができるものとなっている。
【００４８】
保護材１４は、その長辺部５側の縁が、主部１ａの長辺縁５ａ側縫着部９’において、付加部１ｂとともに主部１ａに一体に縫着固定されている。このように、表シート１を複数のシートで構成することにより、袋体８を容易に形成すると同時に保護材１４を表シート１に固定することが可能となる。
【００４９】
一方、断熱材１３は、表シート１に縫着固定されておらず、表シート１と保護材１４の間で移動自在になっている。しかし、作業性や製造工程に応じて、断熱材１３を表シート１に縫着してもよい。
【００５０】
主部１ａは、対をなす２片の対向する縁部を折り返して形成した耳片１５を突き合わせ、長辺縁５ａ及び短辺縁４ａの近傍で接合したものとなっている。そして、突き合わされた両片の縁部の接合されていない部分が植穴開口部７を形成している。
この場合、苗木１２を挿入した後、苗木１２を挟み込むように耳片１５どうしをホッチキス等により接着することで、植穴開口部７に雑草が繁茂することを防止できる。
【００５１】
耳片１５は、その一方１５ａが他方１５ｂより長くなっている。
この場合、苗木１２を挟み込むように耳片１５どうしを接着する際に、長い側の耳片１５ａで他方の耳片１５ｂの縁部を被い三枚重ねにして接着することで耳片１５の隙間に雑草の種が入り込むことを防止し、植穴開口部７に雑草が繁茂することをより効果的に防止できる。
【００５２】
なお、こののり面植栽用袋１０は、植穴開口部７の中央部が苗木１２の幹に占められることから、植穴開口部７の両端部においてのみ耳片１５ａと耳片１５ｂを三枚重ねにして接着するようにしている。しかしながら、雑草の繁茂防止効果をより高める必要がある場合には、例えば、図１０に示すように、耳片１５ａの中央に苗木１２の幹を通す切り込み１５ｃを入れ、耳片１５ｂを覆うことが出来る範囲を広くしてもよい。
【図面の簡単な説明】
【００５３】
【図１】本発明にかかるのり面植栽用袋の具体例を培土が充填されない状態で示し、（ａ）は正面図、（ｂ）は背面図である。
【図２】同のり面植栽用袋の使用状態を示す斜面図である。
【図３】図１のＡ−Ａ矢視線に沿った断面図である。
【図４】図１のＢ−Ｂ矢視線に沿った断面図である。
【図５】図２のＣ−Ｃ矢視線に沿った断面図である。
【図６】図２のＤ−Ｄ矢視線に沿った断面図である。
【図７】裏シートの他の態様を示す背面図である。
【図８】裏シートの更に他の態様を示す背面図である。
【図９】裏シートの更に他の態様を示す背面図である。
【図１０】耳片の他の態様を示す斜面図である。
【符号の説明】
【００５４】
１    表シート
１ａ  主部
１ｂ  付加部
２    裏シート
２ａ  周縁部
３    側辺部
４    短辺部
４ａ  短辺縁
５    長辺部
５ａ  長辺縁
６    透根部
７    植穴開口部
８    袋体
９    通水路
９’  縫合部
１１  培土
１２  苗木
１３  断熱材
１４  保護材
１５、１５ａ、１５ｂ  耳片
１７  蓋部
２０  スリット
２１、２２  裏片
２３  重合部
２４  非一体化部
２５  生分解性糸
２６  帯片
２７  繋ぎ部
２８  開放部
ｐ    開口
ｓ    空間
【図１】
2006104861.tif 000003
【図２】
2006104861.tif 000004
【図３】
2006104861.tif 000005
【図４】
2006104861.tif 000006
【図５】
2006104861.tif 000007
【図６】
2006104861.tif 000008
【図７】
2006104861.tif 000009
【図８】
2006104861.tif 000010
【図９】
2006104861.tif 000011
【図１０】
2006104861.tif 000012